(57)【特許請求の範囲】
【請求項１】
押圧盤と、吸盤と、ゲル状リング体と、吸盤の中央部を引上げる引上げ手段とを備えた吸着具において、
押圧盤の周縁部に、その周縁に沿って配された複数の上下貫通孔が設けられ、
ゲル状リング体は、インサート成形により押圧盤の周縁部に一体成形されてなり、押圧盤周縁の下面に位置する真空壁形成部と、押圧盤周縁の上面に位置する係止部と、前記上下貫通孔内に充填されて前記真空壁形成部と前記係止部とを結合する結合部とからなり、
前記真空壁形成部と前記吸盤の周辺部は接触していることを特徴とする吸着具。
【発明の詳細な説明】
【技術分野】
【０００１】
本発明は、真空吸引力を利用して壁面などの被吸着面に吸着される吸引具に関するものである。
【背景技術】
【０００２】
真空吸引力を高めて、吸引具を壁面などの被吸着面に強固に吸着させることのできる吸着具として、図６に示すものが知られている（特許文献１）。
【０００３】
この従来例は、押圧盤５１、吸盤５２、ネジ軸５３、ナット具５４、真空壁用リング体５５を備え、前記吸盤５２と一体のネジ軸５３を操作することにより、吸盤５２の中央部を引上げて、被吸着面５６との間に強制的に真空部５７を作るものである。そして押圧盤５１の周縁下面に取り付けたゲル状の真空壁用リング体５５はこれらになじむよう変形して密着するので、前記真空部５７の真空状態の維持能力が高いものとなって、吸引具を被吸着面５６に強固に吸着させることができる。
【特許文献１】特表２００６−５０９９８７号
【発明の開示】
【発明が解決しようとする課題】
【０００４】
しかしながら上記従来例は、押圧盤５１の周縁下面にゲル状の真空壁用リング体５５の上面を接着した構造となっているため、繰り返し吸着具を使用したとき、その接着部が剥がれ易いという問題がある。近年接着剤の性能の向上が著しいが、ゲルタイプのポリウレタンなどからなる真空壁用リング体５５を硬質樹脂製の押圧盤５１に強力かつ耐久性良く接着することは、現在の技術をもってしても容易ではない。そして長期繰返し使用によって、真空壁用リング体５５の円周上の一部において、接着部が剥がれると、前記真空部５７の真空状態の維持が困難になる。
【０００５】
また上記従来例では、別途製作された押圧盤５１と真空壁用リング体５５とを、接着する工程が必要である。
【０００６】
本発明は、上記従来例の長期繰返し使用による真空状態の維持が困難になるという問題を解決できると共に、接着工程を省略して製造コストの低減を図ることができる吸着具を提供することを目的とする。
【課題を解決するための手段】
【０００７】
本発明は、上記目的を達成するため、押圧盤と、吸盤と、ゲル状リング体と、吸盤の中央部を引上げる引上げ手段とを備えた吸着具において、押圧盤の周縁部に、その周縁に沿って配された複数の上下貫通孔が設けられ、ゲル状リング体は、インサート成形により押圧盤の周縁部に一体成形されてなり、押圧盤周縁の下面に位置する真空壁形成部と、押圧盤周縁の上面に位置する係止部と、前記上下貫通孔内に充填されて前記真空壁形成部と前記係止部とを結合する結合部とからなり、前記真空壁形成部と前記吸盤の周辺部は接触していることを特徴とする。
【発明の効果】
【０００８】
本発明によれば、ゲル状リング体の真空壁形成部は、押圧盤の周縁に沿って配された複数の上下貫通孔に充填形成された連結部を介して、押圧盤周縁上面に位置する係止部に一体的に連結しているので、ゲル状リング体は押圧盤に強固に結合される。そして接着剤を用いた結合ではないので、吸着具の繰返し使用によっても、ゲル状リング体が剥がされるようなことは無く、耐久性の向上を図ることができる。また、インサート成形により、ゲル状リング体の成形とその押圧盤への結合を同時に行うことができ、従来例で必要であった接着工程を省略して、製造コストの低減を図ることができる。
【発明を実施するための最良の形態】
【０００９】
図示する実施例は、本発明をフック付き吸着具に適用した例に係るものである。
【００１０】
図１〜図５において、１は押圧盤、２は吸盤、３はゲル状リング体、４は吸盤２の中央部を引上げるための引上げネジ、５は前記引上げネジ４に螺合するナット具、６はカバー体、７はフックである。
【００１１】
前記引上げネジ４は、硬質合成樹脂製であって、ネジ軸部４ａとその下端に連なる皿部４ｂとからなる。前記吸盤２は、エラストマ製であって、中央部２ａが盛り上がった円盤形に形成されている。この吸盤２は、前記引上げネジ４の皿部４ｂが、前記中央部２ａに埋設されて一体化されるようにして、インサート成形で形成されている。
【００１２】
前記押圧盤１は、硬質合成樹脂製であって、平面視円形の伏せ碗形状に形成されている。図４、図５に詳細に示すように、押圧盤１は、中央上段部１１、周辺下段部１２、中央上段部１１と周辺下段部１２とを繋ぐテーパ状中間部１３とからなる。中央上段部１１は、その中心部に上下に貫通する円孔１１ａを備え、この円孔１１ａの周縁上面側に、ナット受け部１１ｂが上方に向け突出するようにして形成されている。中央上段部１１と周辺下段部１２とは、上述のようにテーパ状中間部１３によって連結されているが、このテーパ状中間部１３と前記周辺下段部１２との上面には放射状に走る８本の補強リブ１４が互いに等間隔になるように形成されている。前記周辺下段部１２は、その下面１２ａが平坦面となっており、その上面外周部に円環状の突条壁１２ｂを有している。この突条壁１２ｂの上面に前記補強リブ１４の上面が面一となるように連なっている。また突条壁１２ｂの外周側には係止部１２ｃが形成さている。前記周辺下辺部１２の突条壁１２ｂの内側位置に、同一円周上に位置する１６個の上下貫通孔１５が、互いに等間隔を隔てて形成されている。すなわち、図５に示すように、前記周辺下段部１２の左右一対の補強リブ１４と前記突条壁１２ｂとで囲まれる領域の夫々には、２個の上下貫通孔１５が形成されている。
【００１３】
前記ゲル状リング体３は、スチレン系エラストマを素材として、前記押圧盤１の周辺下段部１２にインサート成形により、一体的に形成されている。そしてゲル状リング体３は、図４、図５に示すように、前記周辺下段部１２の下面に位置する真空壁形成部３１と、前記周辺下段部１２の上面に位置する係止部３２と、前記上下貫通孔１５内に充填されて前記真空壁形成部３１と前記係止部３２とを結合する結合部３３とからなるように、インサート成形されている。
【００１４】
前記真空壁形成部３１は、円環状に形成され、その横断面は、図４に示すように、下面が平坦な外周壁部３１ａと、下面がテーパ面となる内周壁部３１ｂとを有して、上面３１ｃが前記周辺下段部１２の下面１２ａに密着している。前記係止部３２は、図５に示すように放射状の補強リブ１４によって区画される８領域に分かれて形成され、夫々の係止部３２の下面３２ａは前記周辺下段部１２の上面に密着すると共に、夫々の係止部３２の外周側面３２ｂは前記突条壁１２ｂの内周側面に密着している。そして前記真空壁形成部３１と各係止部３２は夫々１対の結合部３３により結合され、またインサート成形の冷却時におけるスチレン系エラストマの収縮により、ゲル状リング体３は前記周辺下段部１２を挟圧するようにして、強固に押圧盤１に固着されている。
【００１５】
前記ナット具５は、硬質合成樹脂製であって、キャップ部５ａと、このキャップ部５ａの中心部から下方に突出するネジ筒部５ｂとを有している。ネジ筒部５ｂはその内周に前記引上げネジ４のネジ軸部４ａに螺合する雌ネジ５ｃが形成され、その下端部５ｄは押圧盤１の前記ナット受け部１１ｂに収納されている。
【００１６】
前記カバー体６は、硬質合成樹脂製であって、中央に円形開口６ａを有する朝顔形状に形成されたものである。カバー体６の外周部６ｂは、押圧盤１の係止部１２ｃに、係合する係合部６ｃを有し、内周部６ｄにはフック線材収容部６ｅが形成されている。図４に示すように、カバー体６は押圧盤１に組み付けられる。すなわちカバー体６の円形開口６ａに押圧盤１のナット受け部１１ｂが挿通され、その内周部６ｄが押圧盤１の中央上段部１１上に着座し、前記係合部６ｃが前記係止部１２ｃに無理嵌め状に係合して前記外周部６ｂを押圧盤１の周辺下段部１２に結合することにより、カバー体６は押圧盤１に組み付けられる。
【００１７】
前記引上げネジ４のネジ軸部４ａは、前記押圧盤１の円孔１１ａを挿通して上方に突出し、前記ナット具５のネジ筒部５ｂに螺合される。ナット具５を所定方向に回転させると、ネジ筒部５ｂの下端面が押圧盤１の中央上段部１１に当接していることにより、引上げネジ４を引上げて、吸盤２の中央部２ａを図４に示すように、引上げることができる。このため被吸着面４１と吸盤２との間に真空部４２が形成される。前記引上げネジ４の引上げ時に、押圧盤１の周辺下段部１２から真空壁形成部３１を通じて、吸盤２の周辺部２ｂに押圧力が加わり、これを被吸着面４１に押し付ける。また真空壁形成部３１自身も被吸着面４１に押し付けられ、これがゲルタイプのものであることから、被吸着面４１に凹凸や傷がある場合でも、これらになじむようにして変形し密着するので、前記真空部４２の真空状態を極めて高度に維持することができる。
【００１８】
前記フック７は、その基端側のリング部７ａが前記カバー体６のフック線材収容部６ｅ内に収容され、その弾性縮径力で押圧盤１のナット受け部１１ｂの外周に取り付けられている。
【００１９】
本発明は上記実施例に示す外、種々の態様に構成することができる。例えば上記実施例では、引上げネジ４とナット具５とで、吸盤２の中央部２ａを引上げる引上げ手段を構成しているが、このようなネジ式の引上げ手段に代えて、テコを利用したレバー式引上げ手段等を採用することができる。
【産業上の利用可能性】
【００２０】
本発明は、フック付き吸着具の外、種々の用途の吸着具として利用することができる。
【図面の簡単な説明】
【００２１】
【図１】本発明の一実施例を示す縦断面図。
【図２】その斜視図。
【図３】その底面図。
【図４】その作用を示す縦断面図。
【図５】ゲル状リング体をインサート成形した押圧盤を示す平面図。
【図６】従来例の縦断面図。
【符号の説明】
【００２２】
１    押圧盤
２    吸盤
２ａ  吸盤の中央部
３    ゲル状リング体
４    引上げネジ（引上げ手段）
５    ナット具（引上げ手段）
１２    押圧盤の下段周辺部（周縁部）
１５    上下貫通孔
３１    真空壁形成部
３２    係止部
３３    結合部
【図１】
0004966152.tif 000002
【図２】
0004966152.tif 000003
【図３】
0004966152.tif 000004
【図４】
0004966152.tif 000005
【図５】
0004966152.tif 000006
【図６】
0004966152.tif 000007